(57)【要約】【課題】本発明の課題は、パネルをメンテンス位置へ移動させる際に、パネルと室内機本体とが干渉することない空調室内機を提供することにある。【解決手段】空調室内機１では、第１パネル１１１が、室内機本体１０の前面を覆う閉位置ＣＰに保持され、メンテナンス時には室内機本体１０の前面を開放するメンテナンス位置ＭＰに保持される。さらに、第１パネル１１１は、閉位置ＣＰからメンテナンス位置ＭＰへの移動の際、閉位置ＣＰよりも前方で室内機本体１０から離れた開位置ＯＰへ移動する。それゆえ、第１パネル１１１の上端と室内機本体１０との干渉を防止することができる。【選択図】図１０
2019060566.tif 000002
【特許請求の範囲】
【請求項１】
室内機本体（１０）と、
前記室内機本体（１０）の前面を覆う第１位置に保持され、メンテナンス時には下端が前記室内機本体（１０）の前面から離れたメンテナンス位置に保持される第１パネル（１１１）と、
前記第１パネル（１１１）よりも上側で且つ前記室内機本体（１０）の前方に位置する第２パネル（１１２）と、
を備え、
前記第１パネル（１１１）は、少なくとも、異なる第１動作と第２動作を経て前記第１位置から前記メンテナンス位置へ移動し、
前記第１動作において、前記第１パネル（１１１）は前記第１位置から離れて前記第２パネル（１１２）の前方となる第２位置へ移動する、
空調室内機。
【請求項２】
前記第２位置では、前記第１パネル（１１１）の下端が前記室内機本体（１０）から離れている、
請求項１に記載の空調室内機。
【請求項３】
前記第１動作は、前記第１パネル（１１１）が、前記第１位置から姿勢を維持しながら斜め上方に移動して前記第２位置に至る動作であり、
前記第２動作は、前記第１パネル（１１１）が、少なくとも前記第２位置における前記第１パネル（１１１）の下端を前記室内機本体（１０）の前面から離れる方向に回動させて前記メンテナンス位置に至る動作である、
請求項１又は請求項２に記載の空調室内機。
【請求項４】
前記第２動作において、前記第１パネル（１１１）の下端が上端よりも前記室内機本体（１０）から離れる、
請求項１から請求項３のいずれか１項に記載の空調室内機。
【請求項５】
前記第１パネル（１１１）は、前記第２位置で停止する、
請求項１から請求項４のいずれか１項に記載の空調室内機。
【請求項６】
前記第１パネル（１１１）を少なくとも前記第２位置まで導くパネル搬送機構（２１）をさらに備える、
請求項１から請求項５のいずれか１項に記載の空調室内機。
【請求項７】
前記パネル搬送機構（２１）は、前記第１パネル（１１１）を自動で前記第２位置まで搬送する、
請求項６に記載の空調室内機。
【請求項８】
前記パネル搬送機構（２１）の動作を開始させる操作部（８３）をさらに備える、
請求項６又は請求項７に記載の空調室内機。
【請求項９】
前記パネル搬送機構（２１）は、
前記第１パネル（１１１）の下部に連結される下部連結部（２１３ｈ）と、
前記第２位置において前記第１パネル（１１１）の下部と前記下部連結部（２１３ｈ）とを連結状態および非連結状態のいずれかに切り換えるロック機構（２３）と、
を有する、
請求項６に記載の空調室内機。
【請求項１０】
前記パネル搬送機構（２１）は前記室内機本体（１０）に配置され、前記ロック機構は前記第１パネル（１１１）に配置される、
請求項９に記載の空調室内機。
【請求項１１】
前記パネル搬送機構（２１）は、前記第１パネル（１１１）の上部に連結される上部連結部（２１３ａ）をさらに有する、
請求項９又は請求項１０に記載の空調室内機。
【請求項１２】
前記第１パネル（１１１）は、自己の上端が前記第２パネル（１１２）の下部に接触しない位置から前記第２動作を経て前記メンテナンス位置に移動する、
請求項１に記載の空調室内機。
【発明の詳細な説明】
【技術分野】
【０００１】
本発明は、空調室内機に関する。
【背景技術】
【０００２】
空調室内機おいては、例えば、空気清浄フィルタのメンテナンス時に着脱作業を容易にするため、室内機本体前面を広く開放するタイプが一般的である。特許文献１（特開平１０−２７４４２３号公報）に開示されている室内機では、ユーザーがパネルを回動させ、パネルを回動した位置で支えたままフィルタを取り出し、或いは回動の支軸を軸受部から離脱させた上でフィルタを取り出している。
【発明の概要】
【発明が解決しようとする課題】
【０００３】
しかしながら、ユーザーがパネルを支えたまま行う作業は不安定になりやすく、支軸および軸受部を損傷してしまう恐れがある。それを解消するために、摩擦力を利用した保持機構によってパネルをメンテナンス位置で保持させる方法をとり得るが、その場合、パネルを上方へ回動させて室内機本体前面を開ける際に、パネルと室内機本体とが干渉する。
【０００４】
そこで、本発明の課題は、パネルをメンテンス位置へ移動させる際に、パネルと室内機本体とが干渉することない空調室内機を提供することにある。
【課題を解決するための手段】
【０００５】
本発明の第１観点に係る空調室内機は、室内機本体と、第１パネルと、第２パネルとを備えている。第１パネルは、室内機本体の前面を覆う第１位置に保持され、メンテナンス時には下端が室内機本体の前面から離れたメンテナンス位置に保持される。第２パネルは、第１パネルよりも上側で且つ室内機本体の前方に位置する。第１パネルは、少なくとも、異なる第１動作と第２動作を経て第１位置からメンテナンス位置へ移動する。第１動作において、第１パネルは第１位置から離れて第２パネルの前方となる第２位置へ移動する。
【０００６】
メンテナンス時には作業を容易にするため室内機本体前面を広く開放するが、その際、第１パネルの下端を上方へ回動させて室内機本体前面を開けるので、パネル上端と室内機本体とが干渉する。
【０００７】
しかし、この空調室内機では、第１パネルをメンテナンス位置へ一挙に移動させるのではなく、第１パネルを室内機本体から離れた第２位置へ移動させてからメンテナンス位置へ移動させることによって、第１パネル上端と室内機本体との干渉を防止することができる。
【０００８】
本発明の第２観点に係る空調室内機は、第１観点に係る空調室内機であって、第２位置では、第１パネルの下端が室内機本体から離れている。
【０００９】
この空調室内機では、仮に、第１パネルの第２位置からメンテナンス位置への移動をユーザーが手動で行う場合、第１パネルの下端が室内機本体から離れているので、ユーザーの手が入り易く、使い勝手がよい。
【００１０】
本発明の第３観点に係る空調室内機は、第１観点又は第２観点に係る空調室内機であって、第１動作は、第１パネルが第１位置から姿勢を維持しながら斜め上方に移動して第２位置に至る動作である。第２動作は、第１パネルが少なくとも第２位置における第１パネルの下端を室内機本体の前面から離れる方向に回動させてメンテナンス位置に至る動作である。
【００１１】
本発明の第４観点に係る空調室内機は、第１観点から第３観点のいずれか１つに係る空調室内機であって、第２動作において、第１パネルの下端が上端よりも室内機本体から離れている。
【００１２】
この空調室内機では、ユーザーが室内機本体の前面からフィルタなどのメンテナンスを行う際には、室内機本体を斜め下方から見ることになるので、第１パネルの下端が上端よりも室内機本体から離れている方がメンテナンス作業を行い易い。
【００１３】
本発明の第５観点に係る空調室内機は、第１観点から第４観点のいずれか１つに係る空調室内機であって、第１パネルが第２位置で停止する。
【００１４】
この空調室内機では、第１パネルの第１位置からメンテナンス位置までの動作を、「第１位置から第２位置までの動作」と、「第２位置からメンテナンス位置までの動作」のそれぞれを異なる機構にした場合において、第２位置で一旦停止させることによって、前者と後者の機構の切り換えが容易になる。
【００１５】
本発明の第６観点に係る空調室内機は、第１観点から第５観点のいずれか１つに係る空調室内機であって、パネル搬送機構をさらに備えている。パネル搬送機構は、第１パネルを少なくとも第２位置まで導く。
【００１６】
この空調室内機では、パネル搬送機構によって、第１パネルは必ず第２位置を経由するので、ユーザーが誤った位置へ第１パネルを移動させることを回避することができる。
【００１７】
本発明の第７観点に係る空調室内機は、第６観点に係る空調室内機であって、パネル搬送機構が、パネルを自動で第２位置まで搬送する。
【００１８】
この空調室内機では、例えば、第１パネルを第１位置から第２位置まで搬送させる負荷が大きい場合は、負荷をパネル搬送機構に負わす方が、ユーザーの負担を軽減することができ、使い勝手がよい。
【００１９】
本発明の第８観点に係る空調室内機は、第６観点又は第７観点に係る空調室内機であって、パネル搬送機構の動作を開始させる操作部をさらに備えている。
【００２０】
この空調室内機では、操作部の存在によって、パネルの第１位置から第２位置まで動作が自動であることをユーザーに認識させることができ、利用を促すことができる。
【００２１】
本発明の第９観点に係る空調室内機は、第６観点に係る空調室内機であって、パネル搬送機構が、下部連結部と、ロック機構とを有している。下部連結部は、第１パネルの下部に連結される。ロック機構は、第２位置において第１パネルの下部と下部連結部とを連結状態および非連結状態のいずれかに切り換える。
【００２２】
この空調室内機では、ユーザーが手動で第１パネルを搬送しようとすると、第１パネルの両端を持って手前に引っ張るので、第１パネルがパネル搬送機構から分離する虞があるが、ロック機構を設けることによって第１パネルは第２位置までは外れることなく搬送される。
【００２３】
本発明の第１０観点に係る空調室内機は、第９観点に係る空調室内機であって、第１パネル搬送機構が室内機本体に配置され、ロック機構がパネルに配置される。
【００２４】
本発明の第１１観点に係る空調室内機は、第９観点又は第１０観点に係る空調室内機であって、パネル搬送機構が、第１パネルの上部に連結される上部連結部をさらに有している。
【００２５】
この空調室内機では、第２位置において第１パネルの下部と下部連結部とが非連結状態になったときに、第１パネルが上部連結部回りに回動することが許容される。
【００２６】
本発明の第１２観点に係る空調室内機は、第１観点に係る空調室内機であって、第１パネルが、自己の上端が第２パネルの下部に接触しない位置から第２動作を経てメンテナンス位置に移動する。
【００２７】
この空調室内機では、第１パネルの上端と第２パネルの下端との干渉を防止することができる。
【発明の効果】
【００２８】
本発明の第１観点に係る空調室内機では、第１パネルをメンテナンス位置へ一挙に移動させるのではなく、第１パネルを室内機本体から離れた第２位置へ移動させてからメンテナンス位置へ移動させることによって、第１パネルの上端と室内機本体との干渉を防止することができる。
【００２９】
本発明の第２観点に係る空調室内機では、仮に、第１パネルの第２位置からメンテナンス位置への移動をユーザーが手動で行う場合には、第１パネルの下端が室内機本体から離れているので、ユーザーの手が入り易く、使い勝手がよい。
【００３０】
本発明の第３観点に係る空調室内機では、第１パネルを室内機本体から離れた第２位置へ移動させてからメンテナンス位置へ移動させることによって、第１パネルの上端と室内機本体との干渉を防止することができる。
【００３１】
本発明の第４観点に係る空調室内機では、ユーザーが室内機本体の前面からフィルタなどのメンテナンスを行う際には、室内機本体を斜め下方から見ることになるので、第１パネルの下端が上端よりも室内機本体から離れている方がメンテナンス作業を行い易い。
【００３２】
本発明の第５観点に係る空調室内機では、第１パネルの第１位置からメンテナンス位置までの動作を、「第１位置から第２位置までの動作」と、「第２位置からメンテナンス位置までの動作」のそれぞれを異なる機構にした場合において、第２位置で一旦停止させることによって、前者と後者の機構の切り換えが容易になる。
【００３３】
本発明の第６観点に係る空調室内機では、パネル搬送機構によって、第１パネルは必ず第２位置を経由するので、ユーザーが誤った位置へ第１パネルを移動させることを回避することができる。
【００３４】
本発明の第７観点に係る空調室内機では、例えば、パネルを第１位置から第２位置まで搬送させる負荷が大きい場合は、負荷をパネル搬送機構に負わす方が、ユーザーの負担を軽減することができ、使い勝手がよい。
【００３５】
本発明の第８観点に係る空調室内機では、操作部の存在によって、パネルの第１位置から第２位置まで動作が自動であることをユーザーに認識させることができ、利用を促すことができる。
【００３６】
本発明の第９観点および第１０観点に係る空調室内機では、ユーザーが手動で第１パネルを搬送しようとすると、第１パネルの両端を持って手前に引っ張るので、第１パネルがパネル搬送機構から分離する虞があるが、ロック機構を設けることによって第１パネルは第２位置までは外れることなく搬送される。
【００３７】
本発明の第１１観点に係る空調室内機では、第２位置において第１パネルの下部と下部連結部とが非連結状態になったときに、第１パネルが上部連結部回りに回動することが許容される。
【００３８】
本発明の第１２観点に係る空調室内機では、第１パネルの上端と第２パネルの下端との干渉を防止することができる。
【図面の簡単な説明】
【００３９】
【図１Ａ】運転停止時の空調室内機の斜視図。
【図１Ｂ】運転準備中の空調室内機の斜視図。
【図２Ａ】運転停止時の空調室内機の側面図。
【図２Ｂ】運転準備中の空調室内機の側面図。
【図３】運転時の空調室内機の斜視図。
【図４】運転停止時の空調室内機の縦断面図。
【図５】運転準備中の空調室内機の縦断面図。
【図６】運転時の空調室内機の縦断面図。
【図７】パネル搬送機構の縦断面図。
【図８】第１パネルの裏面側の斜視図。
【図９Ａ】第１パネルと可動リンクとを繋ぐロック機構の拡大斜視図。
【図９Ｂ】図９Ａのロック機構の解除状態を示す拡大斜視図。
【図１０】第１パネルがメンテナンス位置にあるときの空調室内機の部分斜視図、
【図１１Ａ】支持部材の動作前のパネル支持機構の斜視図。
【図１１Ｂ】支持部材の動作後のパネル支持機構の斜視図。
【図１２】支持部材の動作前のパネル支持機構の正面図。
【図１３Ａ】運転停止時の第１風向調整羽根の斜視図。
【図１３Ｂ】運転時の第１風向調整羽根の斜視図。
【図１４Ａ】図１３ＡのＸ−Ｘ線における断面図。
【図１４Ｂ】第１凹部の拡大断面図。
【図１４Ｃ】第２凹部の拡大斜視図。
【図１５】第２風向調整羽根の傾斜角度を示すための空調室内機の縦断面図。
【図１６Ａ】第２風向調整羽根の斜視図。
【図１６Ｂ】図１６ＡのＹ−Ｙ線における断面図。
【図１７】変形例に係る空調室内機であって、運転停止時の当該空調室内機の縦断面図。
【図１８】変形例に係る空調室内機であって、運転開始前におけるパネル搬送機構が動作途中の空調室内機の縦断面図。
【図１９】変形例に係る空調室内機であって、運転時の空調室内機の縦断面図。
【発明を実施するための形態】
【００４０】
以下、図面を参照しながら、本発明の一実施形態について説明する。なお、以下の実施形態は、本発明の具体例であって、本発明の技術的範囲を限定するものではない。
【００４１】
（１）空調室内機１の概要
図１Ａは、運転停止時の空調室内機１の斜視図である。図１Ｂは、運転準備中の空調室内機１の斜視図である。また、  図２Ａは、運転停止時の空調室内機１の側面図である。図２Ｂは、運転準備中の空調室内機１の側面図である。さらに、図３は、運転時の空調室内機１の斜視図である。図１Ａ、図１Ｂ、図２Ａ、図２Ｂ及び図３において、空調室内機１は壁掛けタイプであり、室内機本体１０と、室内機本体１０の前面を覆う前面パネル１１とを備えている。
【００４２】
図１Ａ及び図２Ａに示すように、空調室内機１が停止しているときは、吹出口５の前面は第１パネル１１１によって覆い隠され、吹出口５の下面は第１風向調整羽根３０で覆い隠されているので、吹出口５を通して室内機本体１０内部が人目に触れることがなく、意匠性がよい。
【００４３】
また、図１Ｂ及び図２Ｂに示すように、空調室内機１では、運転開示前に前面パネル１１の第１パネル１１１が第２パネル１１２の正面となる前方上方へ移動し、吹出口５の前方を開放する。その後、図３に示すように、室内機本体１０の下部に位置する第１風向調整羽根３０が時計方向に１８０°回動し、吹出口５の下部を開放する。
【００４４】
（２）室内機本体１０
図４は、運転停止時の空調室内機１の縦断面図である。また、図５は、運転準備中の空調室内機１の縦断面図である。図６は、運転時の空調室内機１の縦断面図である。図４、図５及び図６において、室内機本体１０は、外郭を形成する本体ケーシング１００、調和空気の吹出方向を調整する第１風向調整羽根３０、第２風向調整羽根４０及び垂直風向調整羽根５０を備えている。また、本体ケーシング１００の内部には、室内熱交換器１２、ファン１３、及びフレーム１６が収容されている。
【００４５】
（２−１）本体ケーシング１００
本体ケーシング１００は、前面部１０１と上面部１０２と下面部１０３とによって略長方形状の立体空間を形成し、その立体空間内に室内熱交換器１２、ファン１３、フレーム１６、及びフィルタ９が収まっている。また、上面部１０２には、複数のスリットから成る上吸込口４Ａ（図１０参照）が設けられている。さらに、前面部１０１の下部から下面部１０３の前部にかけて、吹出口５が設けられている。そして、前面部１０１のうち吹出口５より上側には、前吸込口４Ｂが設けられている。
【００４６】
室内熱交換器１２及びファン１３は、フレーム１６に取り付けられている。室内熱交換器１２は、通過する空気との間で熱交換を行う。ファン１３は、上吸込口４Ａ及び前吸込口４Ｂから取り込んだ空気を、室内熱交換器１２に当てて通過させた後、吹出口５に吹き出す。吹出口５には、吹き出される空気を上下方向に案内する第１風向調整羽根３０及び第２風向調整羽根４０が設けられている。第１風向調整羽根３０は、モータ（図示せず）によって駆動し、空気の吹出方向を変更するだけでなく、下面部１０３側の吹出口５を開閉することもできる。
【００４７】
また、第１風向調整羽根３０及び第２風向調整羽根４０の上流側には、空気を左右方向に案内する垂直風向調整羽根５０が設けられている。
【００４８】
本体ケーシング１００の前面部１０１及び上面部１０２と、室内熱交換器１２との間にはフィルタ９が配置されている。フィルタ９は、室内熱交換器１２に向って流入してくる空気に含まれる塵埃を除去する。
【００４９】
室内空気は、ファン１３の稼動によって上吸込口４Ａ及び前吸込口４Ｂ、フィルタ９、室内熱交換器１２を経てファン１３に吸い込まれ、ファン１３から吹出流路１８を経て吹出口５から吹き出される。
【００５０】
（２−２）第１風向調整羽根３０
第１風向調整羽根３０は、運転停止時は、吹出口５の下面を覆う位置で静止している。その位置を初期位置ＳＰ（図４及び図５参照）という。この初期位置ＳＰにおいて、第１風向調整羽根３０の下側となる面は、運転停止中は常に人目に触れるので、見栄えの良い面に仕上げられており、ここでは化粧面３０ａという。
【００５１】
また、初期位置ＳＰにおいて、吹出口５の内側となる面は、運転時には下向きとなって吹出空気が沿って流れるので、ここではコアンダ面３０ｂという。
【００５２】
第１風向調整羽根３０は、モータ（図示せず）によって回動する。初期位置ＳＰにおける第１風向調整羽根３０の前端から吹出口５の高さ方向寸法の半分程度上方に、第１風向調整羽根３０の回動軸（図示せず）が位置している。
【００５３】
それゆえ、第１風向調整羽根３０が時計方向に１８０°回転したときは、図６に示すように、第１風向調整羽根３０は化粧面３０ａを上方に向け、且つコアンダ面３０ｂを下方に向けた状態で、吹出口５の上部から前方に突出する。
【００５４】
なお、第１風向調整羽根３０の詳細については、後半の「（５）第１風向調整羽根３０の詳細説明」の段で説明する。
【００５５】
（２−３）第２風向調整羽根４０
第２風向調整羽根４０は、吹出口５よりも上流側で、運転停止時における第１風向調整羽根３０の初期位置ＳＰよりも上方に位置している。例えば、冷房運転時では、図６に示すように、第２風向調整羽根４０は、断面形状が円弧状であり凸側面４０ａを下方、凹側面４０ｂを上方に向けている。なお、暖房運転において、気流を下方へ向ける垂直気流を生成するときには、第２風向調整羽根４０は凸側面４０ａを上方、凹側面４０ｂを下方に向ける姿勢を採る場合がある。
【００５６】
第２風向調整羽根４０は、モータ（図示せず）によって回動する。第２風向調整羽根４０の回動軸（図示せず）は、凹側面４０ｂの上方に位置している。
【００５７】
なお、第２風向調整羽根４０の詳細については、後半の「（６）第２風向調整羽根４０の詳細説明」の段で説明する。
【００５８】
（２−４）垂直風向調整羽根５０
図４、図５及び図６に示すように、垂直風向調整羽根５０は、複数の羽根片５０１と、複数の羽根片５０１を連結する連結棒５０３を有している。また、垂直風向調整羽根５０は、吹出流路１８において、第１風向調整羽根３０及び第２風向調整羽根４０よりもファン１３に近い位置に配置されている。
【００５９】
複数枚の羽根片５０１は、連結棒５０３が吹出口５の長手方向に沿って水平往復移動することによって、その長手方向に対して垂直な状態を中心に左右に揺動する。なお、連結棒５０３は、モータ（図示せず）によって水平往復移動する。
【００６０】
（３）前面パネル１１
図１Ａ、図２Ａ及び図４に示すように、前面パネル１１は、室内機本体１０の前面を覆う部材である。前面パネル１１は、上下に分割されて、下側に位置する第１パネル１１１と、第１パネル１１１よりも上側に位置する第２パネル１１２とを含んでいる。
【００６１】
第１パネル１１１及び第２パネル１１２は、共に空調室内機１の意匠面を構成しており、第１パネル１１１及び第２パネル１１２は同様の模様、色彩又はそれらの結合で構成されている。
【００６２】
空調室内機１では、運転を停止しているときの第１パネル１１１の位置と、運転をしているときの第１パネル１１１の位置とは異なる。
【００６３】
先ず、空調室内機１が運転を停止しているとき、第１パネル１１１及び第２パネル１１２の表面は、同一鉛直面上に上下に並んでおり、第１パネル１１１及び第２パネル１１２の表面が一体化されたような美感を生じさせるので、見栄えが良い。第１パネル１１１は、正面視で第２パネル１１２よりも縦に長く設定されている。第２パネル１１２の縦長さは、吹出口５の正面の高さ寸法と同寸法に設定されている。
【００６４】
また、第１パネル１１１の下端及び吹出口５の下端の高さ位置は、正面視で一致していると感じさせるほどに近接している。同様に、第２パネル１１２の上端及び本体ケーシング１００の前面部１０１の上端の高さ位置は、正面視で一致していると感じさせるほどに近接している。
【００６５】
次に、空調室内機１が運転を開始するときは、パネル搬送機構２１が第１パネル１１１に前進と上昇とを同時に行わせながら、第１パネル１１１を正面視において第１パネル１１１の上端と第２パネル１１２の上端とが揃う高さ位置まで移動させる。これにより、吹出口５の前面は開放され、前吸込口４Ｂと第１パネル１１１との間に空気を導入するための空間が形成される。
【００６６】
また、第１パネル１１１の上端と第２パネル１１２の上端との高さ位置を揃えることによって、運転時に前面パネル１１が室内機本体１０の天面よりも上に突出せず、正面視において運転時の製品サイズと停止時の運転サイズは変化しない。
【００６７】
それゆえ、部屋の天井面と空調室内機１の上面との距離に制約がある場合でも、サービスパーソンは運転時の製品高さを気にすることなく据え付けることができる。なお、第１パネル１１１の上端および第２パネル１１２の上端との高さ位置が正面視で完全に揃っている必要はなく、それらの高さ位置が正面視で揃っていると感じさせるほどに近接している程度でよい。それゆえ、正面視で第１パネル１１１の上端が第２パネル１１２の上端よりも若干飛び出すことも許容される。
【００６８】
なお、図２Ａ及び図２Ｂに示すように、第１パネル１１１の側面１１１ａの上端と第２パネル１１２の側面１１２ａの下端との各対向面は、前方上向きの傾斜面であるので、第１パネル１１１が前進と上昇とを同時に行っても、第１パネル１１１の側面１１１ａの上端と第２パネル１１２の側面１１２ａの下端とが干渉することはない。
【００６９】
（３−１）パネル搬送機構２１
第１パネル１１１は、パネル搬送機構２１によって前進と上昇とを同時に行うこと、つまり斜め上方に移動することができる。ここで、説明の便宜上、第１パネル１１１が吹出口５の正面を閉じる位置を閉位置ＣＰ（図２Ａ参照）とよび、第１パネル１１１が正面視において自己の上端と第２パネル１１２の上端とが揃う高さ位置へ移動して吹出口５の前面を開放した位置を開位置ＯＰ（図２Ｂ参照）とよぶ。
【００７０】
図７は、パネル搬送機構２１の縦断面図である。また、図１１Ａ及び図１１Ｂは、支持部材２５の動作前後のパネル支持機構２４の斜視図であるが、パネル搬送機構２１も記載されているので参照する。図７、図１１Ａ及び図１１Ｂにおいて、パネル搬送機構２１は、平行クランク機構を応用したものである。パネル搬送機構２１は、第１クランク２１１、第２クランク２１２、可動リンク２１３、及び固定リンク２１４を有している。
【００７１】
（３−１−１）第１クランク２１１
第１クランク２１１は、樹脂製部材であり、その両端は回転軸として機能するように円柱状又は円筒状に成形されている。第１パネル１１１側に位置する第１回転軸２１１ａは、可動リンク２１３の上端軸受２１３ａに回転可能に保持されている。本実施形態では、図１１Ａに示すように、第１回転軸２１１ａは円柱状の突起である。
【００７２】
また、室内機本体１０側に位置する第２回転軸２１１ｂはモータ（図示せず）の出力軸に連結されている。図７に示すように、第２回転軸２１１ｂは、第２パネル１１２の後方に設けられている。本実施形態では、モータの出力軸には断面が四角形の樹脂棒が挿入されており、第２回転軸２１１ｂの中心にはその樹脂棒が挿入される四角穴を有している。
【００７３】
また、第１クランク２１１は、図７に示すように、曲がり部２１１ｃを有している。曲がり部２１１ｃは、第１回転軸２１１ａと第２回転軸２１１ｂとを繋ぐ部位であるが、第１回転軸２１１ａの中心と第２回転軸２１１ｂの中心とを最短距離で結ぶ仮想線（２点鎖線ＫＬ）から斜め下方へ離れた後に、湾曲してその仮想線に近づく方向に延びている。
【００７４】
第１クランク２１１は、第１回転軸２１１ａが第２パネル１１２の正面に来るまで第１パネル１１１を持ち上げたとき、第１クランク２１１は第２パネルの下端に近づくが、曲がり部２１１ｃが第２パネル１１２の下端を避けるように湾曲しているので、第１クランク２１１と第２パネル１１２の下端との干渉が回避されている。
【００７５】
（３−１−２）第２クランク２１２
第２クランク２１２は、樹脂製部材であり、その両端は回転軸として機能するように円柱状又は円筒状に成形されている。第１パネル１１１側に位置する第１回転軸２１２ａは、可動リンク２１３の下端軸受２１３ｂに回転可能に保持されている。本実施形態では、図１１Ａに示すように、第１回転軸２１２ａは円柱状の突起である。
【００７６】
また、室内機本体１０側に位置する第２回転軸２１２ｂは固定リンク２１４の下端部に回転可能に保持されている。本実施形態では、図７に示すように、第２回転軸２１２ｂは円柱状の突起である。
【００７７】
（３−１−３）可動リンク２１３
可動リンク２１３は、細長い樹脂製部材であり、第１パネル１１１の裏面に鉛直姿勢で固定されている。可動リンク２１３の上下端は軸受となっており、上端は第１クランク２１１の第１回転軸２１１ａを受ける上端軸受２１３ａであり、下端は第２クランク２１２の第１回転軸２１２ａを受ける下端軸受２１３ｂである。
【００７８】
本実施形態では、図１１Ａに示すように、上端軸受２１３ａは第１クランク２１１の第１回転軸２１１ａの円柱状の突起が挿入される軸受穴を有している。また、下端軸受２１３ｂは第２クランク２１２の第１回転軸２１２ａの円柱状の突起が挿入される軸受穴を有している。
【００７９】
（３−１−４）固定リンク２１４
固定リンク２１４は、室内機本体１０側に存在するが、少なくとも第１クランク２１１の第２回転軸２１１ｂの軸受と、第２クランク２１２の第２回転軸２１２ｂの軸受とが存在すればよく、特定の形状を有する必要はない。
【００８０】
本実施形態では、第１クランク２１１の第２回転軸２１１ｂはモータの出力軸によって支持され、第２クランク２１２の第２回転軸２１２ｂは、モータの出力軸から下方に所定長さ離れた位置に形成されている軸受２１４ｂに支持されている。
【００８１】
（３−２）運転開始時の第１パネル１１１の動作
第１パネル１１１が図４に示す状態のときに、モータが第１クランク２１１の第２回転軸２１１ｂを時計方向に回転させると、第１クランク２１１が時計方向に回動する。このとき、第１クランク２１１の第１回転軸２１１ａが第２回転軸２１１ｂを中心とする円弧を描きながら可動リンク２１３を持ち上げる。
【００８２】
第１クランク２１１は、第１回転軸２１１ａと第２回転軸２１１ｂとを結ぶ仮想線が水平に対して５°程度上方に傾いた位置で回動を停止する。この停止位置を、第１クランク２１１の最大回動位置Ｒｍとする（図５及び図６参照）。
【００８３】
第１クランク２１１の第１回転軸２１１ａと可動リンク２１３の上端軸受２１３ａとは回転自在に繋がっている。また、可動リンク２１３の下端軸受２１３ｂと第２クランク２１２の第１回転軸２１２ａとは回転自在に繋がっている。さらに、固定リンク２１４の軸受２１４ｂと第２クランク２１２の第２回転軸２１２ｂとは回転自在に繋がっている。
【００８４】
それゆえ、可動リンク２１３が持ち上げられると、可動リンク２１３は鉛直姿勢を維持した状態で、室内機本体１０から離れながら上方に移動する。
【００８５】
このとき、第１クランク２１１の「第１回転軸２１１ａと第２回転軸２１１ｂとを結ぶ仮想線」と、第２クランク２１２の「第１回転軸２１２ａと第２回転軸２１２ｂとを結ぶ仮想線」とは略平行であり、可動リンク２１３の「上端軸受２１３ａと下端軸受２１３ｂとを結ぶ仮想線」と、固定リンク２１４の「モータの出力軸と軸受２１４ｂとを繋ぐ仮想線」とがほぼ平行であり、当該４つの仮想線が略平行四辺形を成す。
【００８６】
つまり、第１クランク２１１が原動節として回転すると、可動リンク２１３に固定されている第１パネル１１１は固定リンク２１４に対して平行を保ったまま上昇又は下降することができる。
【００８７】
図５及び図６に示すように、第１クランク２１１が最大回動位置Ｒｍに到達したとき、第１パネル１１１は第２パネル１１２の正面に位置し、且つ第１パネル１１１及び第２パネル１１２の上端の高さ位置が正面視で揃う。
【００８８】
第１パネル１１１は正面視で第２パネル１１２よりも縦に長く設定されているので、第１パネル１１１が正面視において自己の上端と第２パネル１１２の上端とが揃う高さ位置まで上昇すると、第１パネル１１１によって第２パネル１１２が覆われて一パネルのようになる。
【００８９】
また、第２パネル１１２の縦長さは吹出口５の正面の高さ寸法と同寸法に設定されているので、図２Ｂに示すように、第１パネル１１１が正面視において自己の上端と第２パネル１１２の上端とが揃う高さ位置（開位置ＯＰ）まで上昇することによって、吹出口５の正面が完全に開口する。
【００９０】
なお、第１パネル１１１を開位置ＯＰから閉位置ＣＰまで搬送する動作は、例えば、図５のパネル搬送機構２１の第１クランク２１１を反時計方向に回動させればよい。
【００９１】
（４）第１パネル１１１の姿勢を維持する機構
運転時以外でパネル搬送機構２１が動作するのは、フィルタ９の清掃などメンテナンスを行うときである。ユーザーは、フィルタ９の清掃などのメンテナンスを行う際には、第１パネル１１１の下端が室内機本体１０から離れる方向に第１パネル１１１を回動させて、室内機本体１０の前面を開放する必要がある。
【００９２】
この場合、第１パネル１１１を閉位置ＣＰで回動させると、図２Ａに示すように、第１パネル１１１の側面１１１ａの上端と第２パネル１１２の側面１１２ａの下端とが干渉して、軋み音の発生、第１パネル１１１及び第２パネル１１２の傷付きの要因となる。
【００９３】
本実施形態では、そのような不都合を避けるため、ユーザーがフィルタ９のメンテナンス等のために室内機本体１０の前面を開放するときは、第１パネル１１１を開位置ＯＰまで搬送している。この開位置ＯＰでは、図２Ｂに示すように、第１パネル１１１の側面１１１ａの上端と第２パネル１１２の側面１１２ａの下端とは解離しているので、第１パネル１１１を回動させても第１パネル１１１の側面１１１ａの上端と第２パネル１１２の側面１１２ａの下端とが干渉することはなく、軋み音の発生、第１パネル１１１及び第２パネル１１２の傷付きは防止される。
【００９４】
なお、ユーザーが手動で第１パネル１１１を閉位置ＣＰから開位置ＯＰまで搬送することは可能であるが、パネル搬送機構２１はモータと繋がっており、ユーザーにとっては負担となるので、パネル搬送機構２１で動作させることが好ましい。
【００９５】
パネル搬送機構２１は、空調室内機１の遠隔操作装置（図３参照。以下、リモコン８０という。）に予め設けられている運転ボタン８１、及びメンテナンス準備ボタン８３のいずれかをオンにしたときに動作する。
【００９６】
したがって、メンテナンス時にはユーザーは、先ずメンテナンス準備ボタン８３をオンにして、パネル搬送機構２１によって第１パネル１１１を開位置ＯＰへ移動させる。
【００９７】
その後、ユーザーは、室内機本体１０の前面を開放するために、第１パネル１１１の下端が室内機本体１０から離れる方向に回動させるのであるが、パネル搬送機構２１の可動リンク２１３が第１パネル１１１の裏面に連結されているので、両者の連結状態を第１パネル１１１が単独で回動可能な回動許可状態へ切り換える必要がある。
【００９８】
そのために、第１パネル１１１の裏面とパネル搬送機構２１の可動リンク２１３との間には、ヒンジ機構２２、ロック機構２３、及びパネル支持機構２４が設けられている。
【００９９】
（４−１）ヒンジ機構２２
ヒンジ機構２２は、室内機本体１０の前面を開放する際、第１パネル１１１を可動リンク２１３の上端軸受２１３ａを中心として回動させるための機構である（図８参照）。
【０１００】
具体的には、第１パネル１１１の裏面側に、可動リンク２１３の上端軸受２１３ａを保持するヒンジ機構２２が設けられている。ヒンジ機構２２は、可動リンク２１３の上端軸受２１３ａにスナップフィットで嵌合する軸であってもよい。
【０１０１】
このときに、第１パネル１１１の下端が室内機本体１０から離れるように移動させると、第１パネル１１１が可動リンク２１３の上端軸受２１３ａを中心として回動する。
【０１０２】
（４−２）ロック機構２３
図８は、第１パネル１１１の裏面に配置されたロック機構２３の斜視図である。また、図９Ａは、第１パネル１１１と可動リンク２１３とのロック機構２３の拡大斜視図である。さらに、図９Ｂは、図９Ａのロック機構２３の解除状態を示す拡大斜視図である。
【０１０３】
図８、図９Ａ及び図９Ｂにおいて、第１パネル１１１のうち可動リンク２１３の下端軸受２１３ｂと対向する部分には、可動リンク２１３の下端軸受２１３ｂを拘束するロック機構２３が設けられている。ロック機構２３は、爪部２３１、バネ部２３２、及ぶ把手部２３３を有している。本実施形態では、爪部２３１、バネ部２３２、及ぶ把手部２３３が同一樹脂で一体成型されている。
【０１０４】
（４−２−１）爪部２３１
爪部２３１は、第１パネル１１１の裏面に沿って摺動する。通常、爪部２３１の爪先端２３１ａは、可動リンク２１３の下端軸受２１３ｂの下部に設けられた孔２１３ｈに挿入され、下端軸受２１３ｂが第１パネル１１１の裏面から離れることを阻止している。
【０１０５】
（４−２−２）バネ部２３２
バネ部２３２は、爪部２３１の爪先端２３１ａが可動リンク２１３の下端軸受２１３ｂの下部に設けられた孔２１３ｈから離れないように爪部２３１を上方へ付勢している。バネ部２３２は、樹脂で、円弧梁状に成形されている。バネ部２３２の一端は第１パネル１１１の裏面に保持されており、これを自由端２３２ａという。また、バネ部２３２の他端は爪部２３１に固定されており、これを固定端２３２ｂという。本実施形態において、爪部２３１とバネ部２３２とは、ロック機構２３のロック機能を担っている。
【０１０６】
（４−２−３）把手部２３３
把手部２３３は、ユーザーが指を掛ける部分であり、爪部２３１の下部と繋がっている。第１パネル１１１が開位置ＯＰに在るときは、第１パネル１１１の裏面と室内機本体１０との間にユーザーの手が入る程の隙間ができるので、ユーザーが把手部２３３に指を掛けて下方に引くことにより、爪部２３１が降下し爪先端２３１ａが可動リンク２１３の下端軸受２１３ｂの下部に設けられた孔２１３ｈから離脱するので、第１パネル１１１と可動リンク２１３の下端軸受２１３ｂとが分離可能となる。本実施形態において、把手部２３３は、ロック機構２３のロック解除機能を担っている。
【０１０７】
（４−３）パネル支持機構２４
図１０は、第１パネル１１１がメンテナンス位置にあるときの空調室内機１の部分斜視図である。図１０において、第１パネル１１１が室内機本体１０の前面を開放する位置（以下、「メンテナンス位置ＭＰ」という。）まで移動しても、ユーザーが両手で作業を行うためには、第１パネル１１１をメンテナンス位置ＭＰに保持しておく必要がある。
【０１０８】
パネル支持機構２４は、第１パネル１１１をメンテナンス位置ＭＰに保持するための機構である。図１０に示すように、パネル支持機構２４は、パネル搬送機構２１の可動リンク２１３上に設けられた回動軸２４ａと、回動軸２４ａに回動自在に保持される支持部材２５を有している。
【０１０９】
（４−３−１）回動軸２４ａ
図１１Ａは、支持部材２５の動作前のパネル支持機構２４の斜視図である。また、図１１Ｂは、支持部材２５の動作後のパネル支持機構２４の斜視図である。さらに、図１２は、支持部材２５の動作前のパネル支持機構２４の正面図である。
【０１１０】
図１１Ａ、１１Ｂ及び図１２において、回動軸２４ａは、可動リンク２１３の両側面から外側に突出するピン状の軸である。回動軸２４ａは、可動リンク２１３の上端軸受２１３ａと下端軸受２１３ｂとを結ぶ区間２１３ｃ内で、且つ区間２１３ｃの中央と下端軸受２１３ｂとの間に設けられている。
【０１１１】
（４−３−２）支持部材２５
支持部材２５は、細長い部材であり、長手方向と垂直な断面形状がコの字状に窪んだ形状である。支持部材２５の一方の端部には、回動軸２４ａが挿入される軸孔２５ａが設けられている。
【０１１２】
説明の便宜上、支持部材２５の軸孔２５ａが設けられている端部を第１端部２５１、反対側の端部を第２端部２５２とよぶ。第１端部２５１の軸孔２５ａに回動軸２４ａが挿入されることによって、支持部材２５は可動リンク２１３に対して回動可能となる。
【０１１３】
支持部材２５を可動リンク２１３に近づける方向に押して回動させると、支持部材２５の窪んだ空間に可動リンク２１３の区間２１３ｃの一部が嵌合し、重なり合って、それ以上は押せなくなる。
【０１１４】
逆に、支持部材２５を可動リンク２１３に近づける方向に押すことを止めると、支持部材２５が可動リンク２１３から離れる方向に回動する。これは、図１１Ａに示すように、支持部材２５の重心２５ｇは回動軸２４ａよりも上方、且つ、前方（可動リンク２１３から離れる方向）に位置するので、支持部材２５は拘束されない限り、可動リンク２１３から離れる方向に自然に回動する。
【０１１５】
第１端部２５１の端面は、軸孔２５ａの中心に対して中心角１００°の円弧面２５１ａと、円弧面２５１ａよりも支持部材２５の長手方向に突出する傾斜面２５１ｂとを含んでいる。
【０１１６】
支持部材２５の窪んだ空間に可動リンク２１３の区間２１３ｃの一部が嵌合している状態から、支持部材２５が可動リンク２１３から離れる方向に回動するとき、円弧面２５１ａ及び傾斜面２５１ｂも同時に回動する。そして、可動リンク２１３では、傾斜面２５１ｂの回動方向に６０°進んだ箇所に、傾斜面２５１ｂと対向する進行阻止面２１３ｄが設けられている。
【０１１７】
したがって、支持部材２５が可動リンク２１３から離れる方向に６０°回動すると、傾斜面２５１ｂが進行阻止面２１３ｄに当たるので、支持部材２５の回動が停止する。
【０１１８】
第１パネル１１１の開位置ＯＰにおいて、可動リンク２１３の下端軸受２１３ｂ側と第１パネル１１１との連結が維持されている間は、支持部材２５は第１パネル１１１の裏面と可動リンク２１３の区間２１３ｃとに挟まれているので。支持部材２５は静止状態である。
【０１１９】
（４−３−３）支持部材２５の動作
ロック機構２３の把手部２３３が下方に引かれ（図９Ｂ参照）、可動リンク２１３の下端軸受２１３ｂ側と第１パネル１１１との連結が解除され、ユーザーの手によって第１パネル１１１の下端が室内機本体１０から離れる方向に引かれると、第１パネル１１１がヒンジ機構２２によって、可動リンク２１３の上端軸受２１３ａ回りに回動する。
【０１２０】
第１パネル１１１が室内機本体１０から離れる方向に回動し始めると同時に、支持部材２５は第１パネル１１１に追従するように回動軸２４ａ回りの回動を開始し、第１パネル１１１がメンテナンス位置ＭＰに到達したときには、支持部材２５は可動リンク２１３から離れる方向に６０°回動し、傾斜面２５１ｂが進行阻止面２１３ｄに当たり、支持部材２５の回動が停止する。
【０１２１】
このとき、ユーザーが第１パネル１１１を放しても、支持部材２５の第２端部２５２が第１パネル１１１の裏面を支えるので、第１パネル１１１はメンテナンス位置ＭＰで停止して、室内機本体１０の前面を開放する。
【０１２２】
一方、第１パネル１１１をメンテナンス時の傾斜姿勢から鉛直姿勢へ戻すときは、支持部材２５を上方に一旦上げてから第１パネル１１１を手で押すことによって、支持部材２５の第２端部２５２が第１パネル１１１の裏面を滑りながら、パネル搬送機構２１の可動リンク２１３に近づいていくので、最終的に、支持部材２５の窪んだ空間に可動リンク２１３の区間２１３ｃの一部が嵌合し、重なり合って、それ以上は押せなくなる。この地点で、第１パネル１１１は鉛直姿勢に戻る。
【０１２３】
図１１Ａ、図１１Ｂ及び図１２に示すように、第２端部２５２は、支持部材２５の本体端部２５ｂに在るのではなく、図１２正面視で支持部材２５の本体端部２５ｂの左側面から奥側に一旦隆起した後に左方へ折り曲がり、紙面と平行（鉛直方向）に延びている。つまり、第２端部２５２は、本体端部２５ｂよりも室内機本体１０に近い。
【０１２４】
上記のように、第２端部２５２が支持部材２５の本体端部２５ｂから逸れた位置に設けられた結果、第２端部２５２の先端から座屈荷重が作用しても、第２端部２５２が撓んで、その力は本体端部２５ｂを室内機本体１０に近づける方向へ作用するので、必然的に支持部材２５に室内機本体１０の方向へのモーメントが発生する。
【０１２５】
それゆえ、ユーザーが誤って支持部材２５を上げることなく第１パネル１１１を押してしまった場合でも、ある程度力がかかると支持部材２５の第２端部２５２が撓み、その後は第２端部２５２が第１パネル１１１の裏面を滑るので、破損することはない。
【０１２６】
以上のように、パネル支持機構２４の支持部材２５は、第１パネル１１１が閉位置ＣＰ及び開位置ＯＰにおける鉛直姿勢のときにはパネル搬送機構２１の可動リンク２１３と重なるように収納され、第１パネル１１１がメンテナンス位置ＭＰにおける傾斜姿勢のときには、支持部材２５が自重で下がって第１パネル１１１を支える。
【０１２７】
（４−３−４）他の応用例
なお、このパネル支持機構２４は、前面パネルが駆動しないタイプで、前面パネル（前面グリルを含む）を前方に回動させてフィルタをメンテナンスするもの、例えば床置タイプの空調室内機にも適用可能である。
【０１２８】
また、本実施形態では、第１パネル１１１がメンテナンス位置ＭＰにおける傾斜姿勢のときに、支持部材２５が可動リンク２１３側から自重で下がって第１パネル１１１を支える構成であるが、これに限定されるものではなく、第１パネル１１１の裏面側に支持部材２５が回動自在に保持されていて、第１パネル１１１を傾斜させたときに、支持部材２５が第１パネル１１１側から自重で下がって可動リンク２１３に当たって止まる構成であってもよい。
【０１２９】
（５）第１風向調整羽根３０の詳細説明
図１３Ａは、運転停止時の第１風向調整羽根３０の斜視図である。また、図１３Ｂは、運転時の第１風向調整羽根３０の斜視図である。さらに、図１４Ａは、図１３ＡのＸ−Ｘ線における断面図である。
【０１３０】
図１３Ａ、図１３Ｂ及び図１４Ａにおいて、第１風向調整羽根３０は、発泡ポリスチレンから成る断熱部３１を、化粧面３０ａを形成する第１羽根部材３２１と、コアンダ面３０ｂを形成する第２羽根部材３２２とで挟むように構成されている。なお、第１羽根部材３２１及び第２羽根部材３２２を総称して「羽根部材３２」という。
【０１３１】
第１風向調整羽根３０は、吹出流路１８を経て吹出口５から吹き出される吹出空気の風向を調整する部材である。図４に示すように空調室内機１が運転停止状態のとき、第１風向調整羽根３０は、化粧面３０ａを真下に向けた状態で、吹出口５の下面を覆っている。
【０１３２】
そして、図６に示すように空調室内機１が運転を開始するとき、第１風向調整羽根３０は回動軸３０ｃを中心に１８０°回転する。このとき、第１風向調整羽根３０は吹出口５の上部に到達するので（図１４Ａ参照）、第１パネル１１１との干渉を避けるため、必然的に第１パネル１１１の動作の後、或いは第１パネル１１１の動作に遅れて第１風向調整羽根３０の回動動作が行われる。
【０１３３】
説明の便宜上、第１風向調整羽根３０が回動軸を中心に１８０°回転して到達した位置を最大開位置ＭＯＰ（図６参照）という。
【０１３４】
第１風向調整羽根３０は、最大開位置ＭＯＰにおいて、化粧面３０ａを上方に、コアンダ面３０ｂを下方に向けた状態で静止する。冷房運転のとき、化粧面３０ａより上方には室内機本体１０の前吸込口４Ｂが存在し、室内空気が吸い込まれている。一方、コアンダ面３０ｂより下方は吹出口５が存在し、冷風が吹き出される。
【０１３５】
（５−１）第１風向調整羽根３０の結露対策
吹出口５の上壁と化粧面３０ａとの間には僅かに隙間が存在するので、室内空気が進入し易やすい。その上冷房運転時には、コアンダ面３０ｂを形成する第２羽根部材３２２が冷風によって冷却されているので、伝熱によって化粧面３０ａを形成する第１羽根部材３２１も冷却されるので、化粧面３０ａに結露が生じる。
【０１３６】
なお、第１風向調整羽根３０の厚み方向に沿った熱移動は、断熱部３１の発泡ポリスチレンによって断熱されているので、第１羽根部材３２１が冷却されるのは、第１羽根部材３２１及び第２羽根部材３２２の内部の熱伝導が要因である。
【０１３７】
また、冷風は最大開位置ＭＯＰにおける第１風向調整羽根３０のコアンダ面３０ｂに沿って流れるが、先端部の円弧の曲率が変化するところで冷風は剥離するので、剥離後の渦によって室内空気が引き込まれ、第１風向調整羽根３０と接触して結露が生じる。
【０１３８】
（５−１−１）凹部３３
上記のような結露の発生を防止するために、第１風向調整羽根３０には、第２羽根部材３２２の板厚を減少させることによって形成される凹部３３が設けられている。凹部３３は、第１風向調整羽根３０の両端部に設けられており、一方を第１凹部３３１、他方を第２凹部３３２という。
【０１３９】
図１４Ａに示すように、第１凹部３３１の位置は、第１風向調整羽根３０が最大開位置ＭＯＰにあるとき、第１風向調整羽根３０の吹出空気の流れに対する上流端３０ｕｐから下流側方向に第１風向調整羽根３０の横幅寸法の２０％の範囲内となるように設定されている。
【０１４０】
また、第２凹部３３２の位置は、第１風向調整羽根３０が最大開位置ＭＯＰにあるとき、第１風向調整羽根３０の吹出空気の流れに対する下流端３０ｄｐから上流側方向に第１風向調整羽根３０の横幅寸法の２０％の範囲内となるように設けられている。
【０１４１】
図１４Ｂは、第１凹部３３１の拡大断面図である。また、図１４Ｃは、第２凹部３３２の拡大断面図である。図１４Ｂ及び図１４Ｃにおいて、第１凹部３３１及び第２凹部３３２は、第２羽根部材３２２の板厚が３５〜６０％減らされることによって成形されている。つまり、第１凹部３３１及び第２凹部３３２の最小厚みｔは、第１凹部３３１及び第２凹部３３２を除く第２羽根部材３２２の板厚の４０〜６５％の範囲内に設定されている。
【０１４２】
なお、第１凹部３３１及び第２凹部３３２の最小厚みは、薄いほど良いと考えられるが、本実施形態では樹脂射出成形によって第２羽根部材３２２を制作しているので、金型内に溶融樹脂が確実に流れる厚みとして、第２羽根部材３２２の板厚の４０〜６５％の範囲内に設定されている。また、第１凹部３３１及び第２凹部３３２の底面は、裏面を断熱部３１の発泡ポリスチレンで支持しているので、強度の低下はない。
【０１４３】
さらに、第１凹部３３１及び第２凹部３３２の窪みの幅は、凹部の底幅ｗ１では第２羽根部材３２２の板厚の４０〜６５％に相当する寸法、凹部の入口ｗ２では第２羽根部材３２２の板厚の１００〜２００％に相当する寸法に設定されており、０．６〜２．４ｍｍの範囲に設定されることが好ましい。
【０１４４】
第２羽根部材３２２を伝わる熱は第１凹部３３１及び第２凹部３３２の最小厚み部分によって流れが阻害されるので、第１凹部３３１及び第２凹部３３２それぞれから第１羽根部材３２１に至る区間の温度低下が抑制される。その結果、暖かい室内空気と接触する部分の温度低下も抑制され、結露の発生が抑制される。
【０１４５】
第１凹部３３１及び第２凹部３３２の数量に特に制限はないが、吹出空気の流れ方向の上流側が冷却され易いので、２つの第１凹部３３１、１つの第２凹部３３２を設けることが好ましい。
【０１４６】
ところで、空調室内機によっては、吹出空気ではなく室内空気が当たる部分に複数の溝を設けたものが存在するが、その溝は結露水を保持して風で蒸発させることが目的であり、第１凹部３３１及び第２凹部３３２のような、冷気と暖気とが分かれるところで冷気側に、冷気があたる始点側と終点側に伝熱を抑えるものとは、全く異なるものである。
【０１４７】
（５−１−２）壁部３４
ここまでは、吹出口５の上壁と化粧面３０ａとの隙間に進入する室内空気、及び第１風向調整羽根３０のコアンダ面３０ｂに沿って流れる冷風の剥離後の渦によって引き込まれる室内空気が、冷却されて結露が生じることを前提に説明した。
【０１４８】
しかし、上記以外の事象により結露の発生がすることもある。具体的には、垂直風向調整羽根５０によって、最大開位置ＭＯＰ（図６参照）における第１風向調整羽根３０のコアンダ面３０ｂに沿って流れる冷風は、吹出口５を形成する壁のうちの側壁に当たり、化粧面３０ａ側に回り込むことがある。
【０１４９】
最大開位置ＭＯＰにおける第１風向調整羽根３０の化粧面３０ａと吹出口５を形成する壁のうちの上壁との隙間は負圧になっており、その負圧により冷風が化粧面３０ａ側に上がってくると考えられ、かかる場合に結露が生じる。
【０１５０】
本実施形態では、図３Ａ及び図３Ｂに示すように、第２羽根部材３２２の長手方向の側端部に厚み方向に立ち上がる壁部３４が設けられている。垂直風向調整羽根５０で左右吹きが行われるとき、第１風向調整羽根３０のコアンダ面３０ｂを斜めに横切って流れる冷風が壁部３４に当たって、吹出口５の側壁の下方に向うので、第１風向調整羽根３０の化粧面３０ａに回り込む流れは発生しない。これによって、結露の発生が抑制される。
【０１５１】
（６）第２風向調整羽根４０の詳細説明
図４に示すように、空調室内機１が運転を停止している状態では、第２風向調整羽根４０は、閉位置ＣＰの第１パネル１１１よりも後方で、初期位置ＳＰの第１風向調整羽根３０よりも上方に位置しており、人目に触れない。
【０１５２】
一方、図６に示すように、空調室内機１が運転をしている状態では、第１パネル１１１が開位置ＯＰへ移動して吹出口５の前面を開放し、第１風向調整羽根３０が回動して第２風向調整羽根４０よりも上方に移動して吹出口５の下面を開放するので、第２風向調整羽根４０が吹出口５から露出する。
【０１５３】
図１５は、第２風向調整羽根４０の傾斜角度を示すための空調室内機１の縦断面図である。図１５において、第２風向調整羽根４０は、凸側面４０ａを下方に、凹側面４０ｂを上方に向けているので、上面である凹側面４０ｂに沿って流れる冷風については、持ち上げられて第１風向調整羽根３０へ向う。この凹側面４０ｂに沿った流れを主流という。
【０１５４】
一方、下面である凸側面４０ａに沿って流れる冷風は、第２風向調整羽根４０の角度（以下、「傾斜角度θ」という。）が所定角度範囲にあるときは、凸側面４０ａに沿った流れを維持して主流と同方向に流れる。
【０１５５】
ここで、第２風向調整羽根４０の傾斜角度θとは、スクロール１７の終端における接線ＴＬに対する、第２風向調整羽根４０の最先端と最後端とを通過する仮想線ＢＬの角度である。
【０１５６】
第２風向調整羽根４０の傾斜角度θが所定角度範囲外のときは、冷風は途中まで湾曲面に沿っているが、第１風向調整羽根３０に向う方向になる前に剥離するので、主流に対して離れていく。
【０１５７】
かかる場合、凸側面４０ａに沿って流れる冷風は、凸側面４０ａの頂点を超えた直後、若しくは凸側面４０ａの頂点と下流側端とを繋ぐ区間の中央で剥離する。それゆえ、冷風が沿わなくなったところへ、その冷風よりも温度の高い室内空気が進入し、結露が発生する。
【０１５８】
なお、凹側面４０ｂの最深点から下流側点を繋ぐ区間を凹側後半区間４０ｂｂ、凸側面４０ａの頂点と下流側端とを繋ぐ区間を凸側後半区間４０ａｂとよぶ。
【０１５９】
本実施形態では、垂直風向調整羽根５０が左右いずれかに振れているときに、第２風向調整羽根４０の両端部における凸側後半区間４０ａｂで結露が生じ易いことが、出願人の実験で確認されている。
【０１６０】
（６−１）第２風向調整羽根４０の結露対策
上記のとおり、第２風向調整羽根４０の傾斜角度θが所定角度を超えない限り、冷風が凸側後半区間４０ａｂで剥離することはなく、第２風向調整羽根４０全体が冷風に包まれている状態となるので、第２風向調整羽根４０への結露の発生が抑制される。
【０１６１】
（６−１−１）第２風向調整羽根４０の姿勢と吹出空気温度との関係
出願人の研究によれば、吹出空気の温度Ｔｂが１２℃〜１３℃の範囲にあるとき、第２風向調整羽根４０の傾斜角度θが０〜５°の範囲内であれば、結露の発生が抑制されている。
【０１６２】
一方、ユーザーの都合により冷風が凸側後半区間４０ａｂで剥離するような傾斜角度にせざるを得ないとき、すなわち第２風向調整羽根４０の傾斜角度θを０〜５°の範囲外にする場合には、吹出空気の温度Ｔｂを１４℃〜１６℃に上げ、露点温度を上げるような態様で使う必要があり、パラメータの自由度が狭いという問題があった。
【０１６３】
出願人としては、結露の発生を抑制しつつ、第２風向調整羽根４０の傾斜角度θの範囲を拡大することを課題としており、この課題を解決するためには、凸側面４０ａに沿って流れる冷風が凸側後半区間４０ａｂでも剥離せずに流れるようにする必要がある。
【０１６４】
（６−１−２）貫通穴４３
そこで、本実施形態では、冷風が凸側面４０ａの凸側後半区間４０ａｂでも剥離せずに流れるようにするため、第２風向調整羽根４０の長手方向の端部側に、第２風向調整羽根４０の厚み方向に通過する貫通穴４３が設けられている。以下、図面を用いて、貫通穴４３について説明する。
【０１６５】
図１６Ａは、第２風向調整羽根４０の斜視図である。また、図１６Ｂは、図１６ＡのＹ−Ｙ線における断面図である。図１６Ａ及び図１６Ｂにおいて、貫通穴４３は、凹側面４０ｂの凹側後半区間４０ｂｂに沿って流れる冷風を、凸側面４０ａの凸側後半区間４０ａｂに流す目的で設けられている（図１６Ｂの点線の矢印参照）。
【０１６６】
貫通穴４３のうち凹側後半区間４０ｂｂに形成される開口４３ｂは、凸側後半区間４０ａｂに形成される開口４３ａよりも上流側に位置している。すなわち、貫通穴４３は、前方に進むほど下方に進む、斜め下向きの穴である。
【０１６７】
貫通穴４３が存在することにより、凹側面４０ｂに沿って流れる冷風の一部が貫通穴４３を通り、凸側後半区間４０ａｂに流出し、下流側端に向かって流れるので、元々、凸側後半区間４０ａｂに沿って流れていた冷風を引き付けるので、剥離が抑制される。
【０１６８】
また、貫通穴４３は第２風向調整羽根４０の長手方向に平行な長穴である。貫通穴４３は、垂直風向調整羽根５０が実使用時の最大振れ位置にあるときにおいて、振れ方向と反対方向の最も端に在る羽根片５０１の鉛直面５０ａを含む仮想平面と第２風向調整羽根４０とが交差する領域から、当該領域に最も近い第２風向調整羽根４０の端までの区間に貫通穴４３の少なくとも一部が掛かっていればよい。
【０１６９】
本実施形態では、図１６Ａに示すように、貫通穴４３が両端から長手方向全長の２０％の範囲に掛かるように形成されている。例えば、垂直風向調整羽根５０が最大左振れ位置にあるとき、最も右側にある羽根片５０１の鉛直面５０ａを含む仮想平面と第２風向調整羽根４０との交差領域より右側の区間（例えば、右端から８０ｍｍの範囲など）は空気の流れに勢いがなく、第２風向調整羽根４０の凸側面４０ａから剥離し易く、室内空気の接触が容易であり、結露が生じ易い。
【０１７０】
それゆえ、貫通穴４３が両端から長手方向全長の２０％の範囲に掛かるように、貫通穴４３を設けることによって、貫通穴４３を通過した冷風が凸側面４０ａの凸側後半区間４０ａｂに沿って流れるので、上流側から凸側後半区間４０ａｂ向かって流れてくる冷風を引き寄せ、凸側後半区間４０ａｂから剥離することを防止する。その結果、室内空気が第２風向調整羽根４０に接触せず、結露の発生が抑制される。
【０１７１】
上記のように貫通穴４３が設けられ、結露の発生が抑制された結果、吹出空気の温度Ｔｂが１２℃〜１３℃の範囲にあるとき、第２風向調整羽根４０の傾斜角度θが０〜３２°の範囲内であれば、結露の発生が抑制されることが、出願人の研究により確認された。
【０１７２】
なお、貫通穴４３は、必ずしも長穴である必要はなく、例えば、一方向に連続する複数の丸穴、或いは一方向に連続する複数の「上記実施形態の長穴よりも短い長穴」であってもよい。
【０１７３】
（７）変形例
上記実施形態では、前面パネル１１の第２パネル１１２は固定であり、第１パネル１１１のみが第２パネル１１２の正面に移動して室内機本体１０の前面を開放する構成であるが、これに限定されるものではなく、第１パネル１１１及び第２パネル１１２の双方が移動して室内機本体１０の前面を開放してもよい。
【０１７４】
図１７は、変形例に係る空調室内機１Ｂであって、運転停止時の当該空調室内機１Ｂの縦断面図である。また、図１８は、運転開始前におけるパネル搬送機構が動作途中の空調室内機１Ｂの縦断面図である。さらに、図１９は、運転時の空調室内機１Ｂの縦断面図である。図１７、図１８及び図１９において、上記実施形態と変形例に係る空調室内機１Ｂとの違いは、第１パネル１１１及び第２パネル１１２の双方を搬送するパネル搬送機構２１Ｂを備えている点である。
【０１７５】
パネル搬送機構２１Ｂは、第１パネル１１１を搬送するパネル搬送機構２１に第２パネル１１２の搬送機構を付加したものである。図１８に示すように、パネル搬送機構２１Ｂは、先に第１パネル１１１を前方且つ上方に移動させ、第１パネル１１１が室内機本体１０から所定距離だけ離れたとき、第２パネル１１２を室内機本体１０から離れる方向へ水平移動させる。
【０１７６】
最終的に、図１９に示すように、第１パネル１１１は、室内機本体１０から水平方向に距離Ｄ１、鉛直方向にＨ１を移動して停止する。第２パネル１１２は、室内機本体１０から水平方向に距離Ｄ１より短い距離Ｄ２を移動して停止する。
【０１７７】
空調室内機１Ｂでは、運転時に第２パネル１１２が室内機本体１０の上部前面を開放するので、空気が室内機本体１０の上部前面と第２パネル１１２との間を通過して室内機本体１０の前面に至るので、室内機本体１０の前面からの空気吸込み経路が短くなり、空気抵抗の低減を図ることができる。
【０１７８】
（８）特徴
（８−１）
空調室内機１では、第１パネル１１１が、室内機本体１０の前面を覆う閉位置ＣＰ（図２Ａ参照）に保持され、メンテナンス時には室内機本体１０の前面を開放するメンテナンス位置ＭＰ（図１０参照）に保持される。さらに、第１パネル１１１は、閉位置ＣＰからメンテナンス位置ＭＰへの移動の際、閉位置ＣＰよりも前方で室内機本体１０から離れた開位置ＯＰ（図２Ｂ参照）へ移動する。「第１パネル１１１の閉位置ＣＰから開位置ＯＰまでの動作」と、「第１パネル１１１の開位置ＯＰからメンテナンス位置ＭＰまでの動作」はそれぞれを異なる動作である。第１パネル１１１は室内機本体１０から離れた後にメンテナンス位置ＭＰに移動するので、第１パネル１１１の上端と室内機本体１０との干渉を防止することができる。
【０１７９】
（８−２）
空調室内機１では、第１パネル１１１の開位置ＯＰからメンテナンス位置ＭＰへの移動をユーザーが手動で行う際に、第１パネル１１１の下端が室内機本体１０から離れているので、ユーザーの手が入り易く、使い勝手がよい。
【０１８０】
（８−３）
空調室内機１では、ユーザーが室内機本体１０の前面からフィルタ９などのメンテナンスを行う際には、室内機本体１０を斜め下方から見ることになるが、第１パネル１１１の下端が上端よりも室内機本体１０から離れているのでメンテナンス作業を行い易い。
【０１８１】
（８−４）
空調室内機１では、第１パネル１１１が開位置ＯＰで必ず停止する。第１パネル１１１の閉位置ＣＰからメンテナンス位置ＭＰまでの動作を、「閉位置ＣＰから開位置ＯＰまでの動作」と、「開位置ＯＰからメンテナンス位置ＭＰまでの動作」のそれぞれを異なる機構にした場合において、開位置ＯＰで一旦停止させることによって、前者と後者の機構の切り換えが容易になる。
【０１８２】
（８−５）
空調室内機１では、パネル搬送機構２１が第１パネル１１１を開位置ＯＰまで導くので、第１パネル１１１は必ず第２位置を経由し、ユーザーが誤った位置へ第１パネル１１１を移動させることを回避することができる。
【０１８３】
（８−６）
空調室内機１では、パネル搬送機構２１によって第１パネル１１１が自動で開位置ＯＰまで搬送されるので、ユーザーの負担を軽減することができ、使い勝手がよい。
【０１８４】
（８−７）
空調室内機１では、パネル搬送機構２１の動作を開始させるメンテナンス準備ボタン８３の存在によって、第１パネル１１１の閉位置ＣＰから開位置ＯＰまで動作が自動であることをユーザーに認識させることができ、利用を促すことができる。
【０１８５】
（８−８）
空調室内機１では、ロック機構２３の爪部２３１とパネル搬送機構２１の可動リンク２１３の孔２１３ｈとの連結によって、第１パネル１１１がパネル搬送機構２１の可動リンク２１３に対して相対移動しないように拘束されている（以下、連結状態という。）。また、ロック機構２３の把手部２３３とパネル搬送機構２１の可動リンク２１３の孔２１３ｈとの連結解除によって、開位置ＯＰで第１パネル１１１がパネル搬送機構２１の可動リンク２１３に対して相対移動することを許容される（以下、非連結状態という。）。それゆえ、把手部２３３が操作されない限り、第１パネル１１１の両端が手前に引っ張られても、第１パネル１１１がパネル搬送機構２１から分離されることなく開位置ＯＰまで搬送される。
【０１８６】
（８−９）
空調室内機１では、開位置ＯＰにおいて、ロック機構２３の把手部２３３とパネル搬送機構２１の可動リンク２１３の孔２１３ｈとが非連結状態になったときに、第１パネル１１１がパネル搬送機構２１の可動リンク２１３の上端軸受２１３ａ回りに回動することが許容される。
【０１８７】
（８−１０）
空調室内機１では、第２パネル１１２が、閉位置ＣＰに在る第１パネル１１１よりも上側で且つ室内機本体１０の前方に位置している。開位置ＯＰでは、第１パネル１１１は第２パネル１１２の前方に位置する。それゆえ、第１パネル１１１が開位置ＯＰからメンテナンス位置ＭＰへ移動するときでも、第１パネル１１１の側面１１１ａの上端と第２パネル１１２の側面１１２ａの下端とが干渉しない。
【産業上の利用可能性】
【０１８８】
本発明は、壁掛け式の空調室内機に限らず、床置式の空調室内機にも有用である。
【符号の説明】
【０１８９】
１          空調室内機
１Ｂ        空調室内機
１０        室内機本体
２１        パネル搬送機構
１１１      第１パネル
１１２      第２パネル
２３        ロック機構
２１３ａ    上端軸受（上部連結部）
２１３ｈ    孔（下部連結部）
【先行技術文献】
【特許文献】
【０１９０】
【特許文献１】特開平１０−２７４４２３号公報
【図１Ａ】
2019060566.tif 000003
【図１Ｂ】
2019060566.tif 000004
【図２Ａ】
2019060566.tif 000005
【図２Ｂ】
2019060566.tif 000006
【図３】
2019060566.tif 000007
【図４】
2019060566.tif 000008
【図５】
2019060566.tif 000009
【図６】
2019060566.tif 000010
【図７】
2019060566.tif 000011
【図８】
2019060566.tif 000012
【図９Ａ】
2019060566.tif 000013
【図９Ｂ】
2019060566.tif 000014
【図１０】
2019060566.tif 000015
【図１１Ａ】
2019060566.tif 000016
【図１１Ｂ】
2019060566.tif 000017
【図１２】
2019060566.tif 000018
【図１３Ａ】
2019060566.tif 000019
【図１３Ｂ】
2019060566.tif 000020
【図１４Ａ】
2019060566.tif 000021
【図１４Ｂ】
2019060566.tif 000022
【図１４Ｃ】
2019060566.tif 000023
【図１５】
2019060566.tif 000024
【図１６Ａ】
2019060566.tif 000025
【図１６Ｂ】
2019060566.tif 000026
【図１７】
2019060566.tif 000027
【図１８】
2019060566.tif 000028
【図１９】
2019060566.tif 000029